(57)【要約】【課題】ディスクトレイを確実に格納位置でロックする。【解決手段】光ディスク装置は、右主動レール、右従動レバー２２を有する。右主動レールは、モータの駆動により、ディスクトレイを引出し位置にセットする前進位置と、ディスクトレイを格納位置にセットする後退位置との間で移動する。右従動レバー２２は、右主動レールが前進位置と後退位置との間で移動するときは一緒に移動し、右主動レールが後退位置に移動した後は、右従動レバー２２は、モータの駆動により、単独でロック解除位置とロック位置との間で移動する。ディスクトレイに設けられたロックレバー４５は、右従動レバー２２がロック解除位置に位置するときには退避位置に移動され、右従動レバー２２がロック位置に移動すると、ロックバネ４６の付勢により、ロック片９ａに係合してロックされる係合位置に移動する。【選択図】図１３
2008305521.tif 000002
【特許請求の範囲】
【請求項１】
光ディスクを装填し、ケースから引き出された引出し位置と、前記ケースの内部に格納された格納位置との間で、ディスクトレイが移動する光ディスク装置において、
前記ディスクトレイを前記引出し位置に移動させる前進位置と、前記ディスクトレイを前記格納位置に移動させる後退位置との間で移動する主動板と、
移動自在に設けられ、前記主動板が前記後退位置に移動したときにロック解除位置に位置する従動板と、
前記主動板を前記前進位置と前記後退位置との間で移動させ、前記主動板が前記後退位置に移動した後は、前記従動板を前記ロック解除位置とロック位置との間で移動させるモータ駆動力伝達機構と、
前記従動板が前記ロック位置に移動したときに、前記ディスクトレイを前記格納位置でロックするロック機構と、を備えたことを特徴とする光ディスク装置。
【請求項２】
前記ロック機構は、
前記ケースに設けられ、前記ディスクトレイをロックするトレイロック部と、
前記ディスクトレイに設けられ、前記トレイロック部に係合してロックされる係合位置と、前記係合位置から退避した退避位置との間で変位自在なロック板と、
前記ロック板を前記係合位置に向けて付勢する付勢手段と、
前記従動板に設けられ、前記従動板が前記ロック解除位置に移動したときに前記ロック板を押圧して前記退避位置に変位させ、前記従動板が前記ロック位置に移動したときに前記ロック板への押圧を解除する押圧部と、を備えたことを特徴とする請求項１記載の光ディスク装置。
【請求項３】
前記従動板は、前記主動板が前記前進位置と前記後退位置との間で移動するときに、前記主動板とともに移動するように設けられ、
前記モータ駆動力伝達機構は、前記主動板が前記後退位置に移動した後は、前記従動板のみを前記ロック解除位置と前記ロック位置との間で移動させることを特徴とする請求項１または２記載の光ディスク装置。
【請求項４】
前記モータ駆動力伝達機構は、
モータと、
前記モータの駆動により回転する駆動ギアと、
前記主動板に設けられ、前記駆動ギアに噛合して前記モータの駆動により前記主動板を移動させるとともに、前記主動板が前記後退位置に移動したときに前記駆動ギアとの噛合が解除される主動ギア部と、
前記従動板に設けられ、前記駆動ギアに噛合して前記モータの駆動により前記従動板を前記ロック解除位置と前記ロック位置との間で移動させる従動ギア部と、を備えたことを特徴とする請求項１ないし３いずれか１つ記載の光ディスク装置。
【請求項５】
前記従動板を、前記主動板に移動自在に取り付けたことを特徴とする請求項１ないし４いずれか１つ記載の光ディスク装置。
【発明の詳細な説明】
【技術分野】
【０００１】
本発明は、ディスクトレイをオートローディングする光ディスク装置に関するものである。
【背景技術】
【０００２】
光ディスク装置には、ＣＤ、ＤＶＤなどの光ディスクが記憶媒体として用いられている。光ディスク装置は、光ディスクを装填するディスクトレイを、本体ケース外部に引き出される引出し位置と、本体ケース内部に格納される格納位置との間で移動自在に組み込み、光ディスクの着脱時にはディスクトレイを引出し位置に引き出し、使用時にはディスクトレイを格納位置に移動するように構成される。ユーザは、手動でディスクトレイを引出し位置と格納位置とに移動させる。光ディスク装置は、パソコン等に組み込まれて使用される。パソコンの内部における光ディスク装置が組み込まれる部分のサイズは規格化されており、これに応じて、本体ケースの形状も規格化されている。
【０００３】
本体ケース内部に格納されたディスクトレイは、ロックレバーによりロックされる。ディスクトレイの前面には、フロントカバーが取り付けられており、フロントカバーには、ディスクトレイをイジェクトするためのイジェクトボタンが設けられている。イジェクトボタンを押圧すると、ロックレバーによるディスクトレイのロックが解除される。本体ケース内部には、イジェクトバネを含むイジェクト機構が設けられ、ロックレバーによるロックが解除されると、ディスクトレイはイジェクトバネの付勢により所定ストロークだけ突出する。そして、ユーザは、突出したディスクトレイを掴んで引出し位置まで引き出す。
【０００４】
一方、近年では、オートローディングタイプの光ディスク装置が提案されている（例えば特許文献１参照）。特許文献１では、モータの駆動により移動する可動レールを設け、この可動レールの移動によりディスクトレイを移動させている。
【特許文献１】特開２００６−４０５０７号公報
【発明の開示】
【発明が解決しようとする課題】
【０００５】
しかしながら、特許文献１では、ディスクトレイのロックに関する記載がなく、さらには、オートローディングタイプの光ディスク装置では、上記したロックレバー及びイジェクト機構を用いることができないため、ディスクトレイをロックすることができないという問題があった。
【０００６】
また、ディスクトレイを格納した後にさらに可動レールを移動させることにより、その移動を利用してロックを行う構成も考えられるが、上記したように規格化された本体ケースでは、ディスクトレイを格納位置に移動させたときに、可動レールの後端と本体ケースの後面内壁との隙間が僅かしない。このため、ディスクトレイを格納した後にさらに可動レールを移動させる場合には、その可動レールの移動分だけ、本体ケースを長くする必要があり、本体ケースが規格から外れてしまい、パソコンに組み込むことができないという問題があった。
【０００７】
本発明は、上記課題を解決するためになされたものであり、本体ケースのサイズを維持しながら、ディスクトレイを確実に格納位置でロックすることができるオートローディングタイプの光ディスク装置を提供することを目的とする。
【課題を解決するための手段】
【０００８】
上記目的を達成するために、本発明の光ディスク装置は、光ディスクを装填し、ケースから引き出された引出し位置と、前記ケースの内部に格納された格納位置との間で、ディスクトレイが移動する光ディスク装置において、前記ディスクトレイを前記引出し位置に移動させる前進位置と、前記ディスクトレイを前記格納位置に移動させる後退位置との間で移動する主動板と；移動自在に設けられ、前記主動板が前記後退位置に移動したときにロック解除位置に位置する従動板と；前記主動板を前記前進位置と前記後退位置との間で移動させ、前記主動板が前記後退位置に移動した後は、前記従動板を前記ロック解除位置とロック位置との間で移動させるモータ駆動力伝達機構と；前記従動板が前記ロック位置に移動したときに、前記ディスクトレイを前記格納位置でロックするロック機構と；を備えたことを特徴とする。
【０００９】
なお、前記光ディスクとしては、ＣＤ、ＤＶＤ、デュアルディスク、ＳＡＣＤ（ハイブリッド・ディスク）等が挙げられる。また、前記主動板が前記後退位置に移動したときには、前記主動板の後端と前記ケースの後面内壁との隙間が僅かになるように、前記主動板及びケースは形成されている。
【００１０】
また、前記ロック機構は、前記ケースに設けられ、前記ディスクトレイをロックするトレイロック部と；前記ディスクトレイに設けられ、前記トレイロック部に係合してロックされる係合位置と、前記係合位置から退避した退避位置との間で変位自在なロック板と；前記ロック板を前記係合位置に向けて付勢する付勢手段と；前記従動板に設けられ、前記従動板が前記ロック解除位置に移動したときに前記ロック板を押圧して前記退避位置に変位させ、前記従動板が前記ロック位置に移動したときに前記ロック板への押圧を解除する押圧部と；を備えることが好ましい。なお、前記ロック板の変位としては、移動や回転等が挙げられる。
【００１１】
さらに、前記従動板は、前記主動板が前記前進位置と前記後退位置との間で移動するときに、前記主動板とともに移動するように設けられ、前記モータ駆動力伝達機構は、前記主動板が前記後退位置に移動した後は、前記従動板のみを前記ロック解除位置と前記ロック位置との間で移動させることが好ましい。
【００１２】
また、前記モータ駆動力伝達機構は、モータと；前記モータの駆動により回転する駆動ギアと；前記主動板に設けられ、前記駆動ギアに噛合して前記モータの駆動により前記主動板を移動させるとともに、前記主動板が前記後退位置に移動したときに前記駆動ギアとの噛合が解除される主動ギア部と；前記従動板に設けられ、前記駆動ギアに噛合して前記モータの駆動により前記従動板を前記ロック解除位置と前記ロック位置との間で移動させる従動ギア部と；を備えることが好ましい。
【００１３】
さらに、前記従動板を、前記主動板に移動自在に取り付けることが好ましい。なお、前記従動板を、前記ロック位置から前記ロック解除位置に向けた方向に付勢された状態で前記主動板に取り付けることが好ましく、前記主動板に、前記従動板の移動を規制する規制部を設けることが好ましい。
【発明の効果】
【００１４】
本発明の光ディスク装置によれば、主動板とは別個に設けた従動板の移動により、ディスクトレイのロックを行うから、ケースのサイズを維持しながら、ディスクトレイを格納位置に移動させた後にロックすることができる。
【発明を実施するための最良の形態】
【００１５】
図１に示すように、光ディスク装置２は、ノート型パソコン等の電子機器に内蔵されるものであり、光ディスク装置２は、例えばパソコン本体３の一方の側面に組み込まれる。光ディスク４を装填するとき及び取り出すときには、トレイユニット５をいっぱいに引き出して行う。光ディスク４の装填後、フロントカバー６を押圧するとトレイユニット５はパソコン本体３内に完全に格納された状態でロックされる。トレイユニット５を引き出すときには、フロントカバー６に設けられたイジェクトボタン７を押す。
【００１６】
図２及び図３に示すように、光ディスク装置２は、薄板金属製の下カバー９及び上カバー（図示せず）により構成されるケース１０を備え、トレイユニット５は、ケース１０の外部に引き出された引出し位置（図２参照）と、ケース１０の内部に格納される格納位置（図３参照）との間で、前後方向に移動自在に設けられている。下カバー９の内部の後端部には、光ディスク装置２の駆動を制御する制御基板１３が取り付けられている。
【００１７】
トレイユニット５は、光ディスク４の外径に対応した窪みが形成された樹脂製のディスクトレイ１４と、光ピックアップ１５が設けられ、光ディスク４の径方向に移動自在に設けられたキャリッジ１６を有するピックアップユニット１７とを備え、ピックアップユニット１７は、ディスクトレイ１４に取り付けられている。
【００１８】
ピックアップユニット１７には、光ディスク４を回転させるスピンドルモータ１８が設けられており、スピンドルモータ１８の駆動軸には、チャッキングコア１９が固定されている。ディスクトレイ１４の窪みに合わせて光ディスク４を装填すると、チャッキングコア１９が光ディスク４のチャック孔４ａ（図１参照）に係合して光ディスク４を保持する。
【００１９】
ディスクトレイ１４には、光ピックアップ１５及びスピンドルモータ１８の駆動を制御する駆動基板（図示せず）が設けられており、この駆動基板は、ＦＰＣ（Ｆｌｅｘｉｂｌｅ  Ｐｒｉｎｔｅｄ  Ｃｉｒｃｕｉｔ）から構成されるフレキシブル基板２０により制御基板１３に接続されている。イジェクトボタン７は、駆動基板に接続されており、イジェクトボタン７を押すと、駆動基板を介して制御基板１３に、イジェクト信号が入力される。制御基板１３は、イジェクト信号が入力されたことに応答して、ディスクトレイ１４の位置に応じた制御（モータ５８（図１０参照）の回転方向の制御）を行う。
【００２０】
図３〜図６に示すように、光ディスク装置２には、右主動レール（主動板）２１、右従動レバー（従動板）２２、右サブレール２３、右保持レール２４、右トレイレール２５及びレールギア２６を有する右レールユニット２７が設けられている。また、光ディスク装置２には、左主動レール３１、左従動レバー３２、左サブレール３３、左保持レール３４、左トレイレール３５及びレールギア２６を有する左レールユニット３７が設けられている。各部材３１〜３５は、各部材２１〜２５と同様な構成（各部材２１〜２５の左右を逆にした形状）で形成されており、その説明及び図示は簡略化するが、各部材２１〜２５と同様に、各部分に符号が付される。
【００２１】
図５、図６及び図７に示すように、右主動レール２１は、ディスクトレイ１４を引出し位置に移動させる前進位置（図８（Ｂ）及び図１０参照）と、ディスクトレイ１４を格納位置に移動させる後退位置（図８（Ａ）及び図１２参照）との間で移動自在に設けられ、樹脂により構成されている。
【００２２】
右主動レール２１は、下板２１ａ及び側板２１ｂからなる略Ｌ字に形成されており、下板２１ａには、主動ラックギア（主動ギア部）２１ｃ、右従動レバー２２をガイドする前ガイド凸部２１ｄ及び後ガイド凸部２１ｅ、右従動レバー２２の前ガイド凸部２２ｃ及び後ガイド凸部２２ｄが挿入される前挿入孔２１ｆ及び後挿入孔２１ｇ、レールバネ４１が挿入されるバネ挿入孔２１ｈ、レールバネ４１の一端４１ａを保持する保持凸部２１ｉ、右従動レバー２２の後方向（図７における上方向）への移動を規制する規制凸部２１ｊが形成されている。
【００２３】
主動ラックギア２１ｃは、後退位置に移動したときに、後述するレール伝達ギア（駆動ギア）５７との噛合が解除されるような長さで形成されており、下板２１ａには、主動ラックギア２１ｃの前側に切欠き２１ｋが形成されている。主動ラックギア２１ｃとの噛合が解除されたレール伝達ギア５７は、切欠き２１ｋに入り込むため、レール伝達ギア５７が下板２１ａに接触することがない。
【００２４】
側板２１ｂには、レールギア２６を回転自在に保持する軸ピン４２が取り付けられている。右保持レール２４は、側板２１ｂを保持する。同様にして、左主動レール３１の側板３１ｂには、レールギア２６を回転自在に保持する軸ピン４２が取り付けられている。
【００２５】
図５、図６及び図７に示すように、右従動レバー２２は、右主動レール２１が前進位置と後退位置との間で移動するときには、右主動レール２１とともに移動し、右主動レール２１が後退位置に移動した後は、単独でロック解除位置（図１１（Ａ）、図１２及び図１３（Ａ）参照）とロック位置（図１１（Ｂ）及び図１３（Ｂ）参照）との間で移動するものであり、樹脂により構成され、弾性変形可能な形状（厚み等）で形成されている。
【００２６】
右従動レバー２２は、板状の本体部２２ａに、従動ラックギア（従動ギア部）２２ｂ、前ガイド凸部２２ｃ、後ガイド凸部２２ｄ、右主動レール２１の前ガイド凸部２１ｄ及び後ガイド凸部２１ｅが挿入される前挿入孔２２ｅ及び後挿入孔２２ｆ、レールバネ４１が挿入されるバネ挿入孔２２ｇ、レールバネ４１の他端４１ｂを保持する保持凸部２２ｈ、断面略Ｌ字状に形成され、ロックレバー４５の押圧面４５ｆ（図１１参照）を押圧する押圧部２２ｉが形成されている。各ガイド凸部２２ｃ，２２ｄは、本体部２２ａの下面から突出して形成されている。なお、左従動レバー３２には、押圧部２２ｉの形状が形成されていない。
【００２７】
図５及び図６に示すように、右サブレール２３は、樹脂により構成されており、板状の本体部２３ａに、取付凸部２３ｂが形成されている。取付凸部２３ｂが図示しないビスにより右主動レール２１に取り付けられる。取付凸部２３ｂの前後方向における略中心部には、切欠き２３ｃが形成されている。本体部２３ａの切欠き２３ｃが形成された部分には、軸ピン４２が圧入される圧入孔２３ｄが形成されている。
【００２８】
図６に示すように、右保持レール２４は、右主動レール２１を移動自在に保持するものであり、薄板金属により構成されている。右保持レール２４は、断面略コ字状の本体部２４ａに、上リブ２４ｂが形成されており、上リブ２４ｂには、保持ラックギア２４ｃが形成されている。本体部２４ａは、図示しないビスにより、下カバー９の側壁の内面に固定されている。
【００２９】
図４に示すように、右トレイレール２５は、右サブレール２３を移動自在に保持するものであり、薄板金属により構成されている。右トレイレール２５は、断面略コ字状の本体部２５ａに、上リブ２５ｂ及び下リブ２５ｃが形成されており、下リブ２５ｃには、トレイラックギア２５ｄが形成されている。本体部２５ａは、図示しないビスにより、ディスクトレイ１４の右側面に取り付けられている。レールギア２６は、保持ラックギア２４ｃとトレイラックギア２５ｄとに噛合する。
【００３０】
図５及び図６に示すように、右主動レール２１に右サブレール２３を取り付けるときは、先ず、軸ピン４２を、レールギア２６の挿通孔２６ａに挿通した後、右サブレール２３の圧入孔２３ｄに圧入する。そして、図示しないビスにより、右サブレール２３を右主動レール２１に取り付ける。
【００３１】
右主動レール２１に右従動レバー２２を移動自在に取り付けるときは、先ず、図７（Ａ）に示すように、前挿入孔２１ｆ及び後挿入孔２１ｇに、前ガイド凸部２２ｃ及び後ガイド凸部２２ｄを挿入する。このとき、右従動レバー２２の後端部が、規制凸部２１ｊに当接するため、右従動レバー２２の後端部を変形させ（撓ませ）ながら行う。そして、図７（Ｂ）に示すように、右従動レバー２２を前方に移動させると、右従動レバー２２が右主動レール２１に移動自在に取り付けられる。この状態で、レールバネ４１をバネ挿入孔２１ｈ及びバネ挿入孔２２ｇに挿入し、一端４１ａを保持凸部２１ｉに、他端４１ｂを保持凸部２２ｈに、それぞれ保持させると、右従動レバー２２は、右主動レール２１に対して前方（図７における下方）に付勢された状態となる。右従動レバー２２は、右主動レール２１に対して前方に付勢されると、右従動レバー２２の後挿入孔２２ｆにより形成された後壁面２２ｊに、後ガイド凸部２１ｅが当接して、レールバネ４１による右従動レバー２２の付勢が規制される。
【００３２】
図８（Ａ）に示すように、右主動レール２１が後退位置に位置するときには、レールギア２６は、保持ラックギア２４ｃの後端部とトレイラックギア２５ｄの前端部とに噛合している。右主動レール２１が前進位置に向けて前方（図８における下方）に移動すると、右主動レール２１に設けられたレールギア２６も前方向に移動する。右保持レール２４は、下カバー９に固定されているため、レールギア２６は、前方向への移動に伴い、図８中Ａ方向に回転する。トレイラックギア２５ｄはレールギア２６に噛合しており、レールギア２６がＡ方向に回転すると、右トレイレール２５が前方向に移動する。右トレイレール２５が前方向に移動すると、右トレイレール２５が固定されたディスクトレイ１４も前方向に移動する。
【００３３】
図８（Ｂ）に示すように、右主動レール２１が前進位置に移動すると、レールギア２６が、保持ラックギア２４ｃの前端部とトレイラックギア２５ｄの後端部とに噛合している状態となる。また、右主動レール２１が前進位置に移動すると、ディスクトレイ１４は引出し位置に移動する。
【００３４】
図９、図１０及び図１１に示すように、ディスクトレイ１４の下面には、ディスクトレイ１４に設けられた支持部（図示せず）により、ロックレバー（ロック板）４５が、係合位置（図１１（Ｂ）参照）と退避位置（図１１（Ａ）参照）との間で左右方向に移動自在に支持されている。ロックレバー４５は、ロックバネ（付勢手段）４６により係合位置に向けて右方に付勢されている。
【００３５】
ロックレバー４５は、本体部４５ａと、右従動レバー２２の押圧部２２ｉにより押圧される押圧部４５ｂと、下カバー９のロック片（トレイロック部）９ａに係合してロックされる係合部４５ｃとを備える。本体部４５ａには、ロックバネ４６が挿入される挿入孔４５ｄと、ロックバネ４６の一端４６ａを保持する保持凸部４５ｅとが形成されている。押圧部４５ｂは、押圧部２２ｉにより押圧される押圧面４５ｆが、傾斜して形成されている。係合部４５ｃは、ディスクトレイ１４が格納位置に移動するときにロック片９ａにより押圧される押圧面４５ｇが、傾斜して形成されている。ロックレバー４５がロック位置に移動すると、係合部４５ｃの係合面４５ｈがロック片９ａに当接し、係合部４５ｃがロック片９ａに係合する。これにより、ロックレバー４５がロックされる。押圧部４５ｂは、ロック片９ａよりも上方に位置するように形成されている。
【００３６】
ロックバネ４６を挿入孔４５ｄに挿入し、一端４６ａを保持凸部４５ｅに保持させ、他端４６ｂをディスクトレイ１４に形成された保持凸部１４ａに保持させると、ロックレバー４５は、左右方向に移動自在で、且つ、ロックバネ４６により係合位置に向けて付勢された状態で、ディスクトレイ１４の下面に取り付けられる。
【００３７】
図１０に示すように、下カバー９の内部には、右主動レール２１を移動させる右移動機構５０が設けられている。右移動機構５０は、第１〜第６ギア５１〜５６、レール伝達（駆動ギア）ギア５７、モータ５８、モータ５８の回転シャフトに取り付けられたウォームギア５９を備える。各ギア５１〜５７は、下カバー９に回転自在に取り付けられている。第１ギア５１は、ウォームギア５９に噛合しており、第２ギア５２は、第１ギア５１に噛合している。そして、第３ギア５３、第４ギア５４、第５ギア５５、第６ギア５６、レール伝達ギア５７の順に噛合している。これにより、モータ５８の回転シャフトが回転すると、レール伝達ギア５７が回転する。第２〜第４ギア５２〜５４は、２段ギアで形成されており、第２〜第４ギア５２〜５４では、回転が減速されて伝達される。本実施形態では、モータ駆動力伝達機構は、右移動機構５０と、主動ラックギア２１ｃと、従動ラックギア２２ｂとを備えて構成されている。
【００３８】
下カバー９の内部には、左主動レール３１を移動させる左移動機構６０が設けられている。左移動機構６０は、第１〜第５ギア５１〜５５、レール伝達ギア５７を備える。第１ギア５１の上面には、プーリー部５１ａが形成されており、２個の第１ギア５１のプーリー部５１ａには、ベルト６１が巻き掛けられている。これにより、モータ５８の回転シャフトが回転すると、左移動機構６０のレール伝達ギア５７が回転する。左移動機構６０には、第６ギア５６が設けられておらず、これにより、右移動機構５０のレール伝達ギア５７と、左移動機構６０のレール伝達ギア５７とは、その回転方向が逆になる。
【００３９】
図１０に示すように、右主動レール２１が前進位置に位置するときには、レール伝達ギア５７は、主動ラックギア２１ｃの後端部に噛合している。モータ５８を駆動して、右移動機構５０のレール伝達ギア５７を、Ｂ方向に回転させる（左移動機構６０のレール伝達ギア５７をＣ方向に回転させる）と、右主動レール２１及び左主動レール３１が後方（図１０における上方）に移動する。以下、右主動レール２１と左主動レール３１とは同様の動作をするため、右主動レール２１の動作のみを説明する。
【００４０】
右主動レール２１が前進位置から後退位置に向けて移動し、後退位置に移動する前に、従動ラックギア２２ｂもレール伝達ギア５７に噛合する。そして、図１２及び図１３（Ａ）に示すように、右主動レール２１が後退位置に移動（ディスクトレイ１４が格納位置に移動）すると、右従動レバー２２がロック解除位置に位置する。この状態では、レール伝達ギア５７は切欠き２１ｋに入り込み、レール伝達ギア５７と主動ラックギア２１ｃとの噛合が解除されて、レール伝達ギア５７は従動ラックギア２２ｂにのみ噛合している状態となる。右従動レバー２２がロック解除位置に位置しているため、右従動レバー２２の押圧部２２ｉが、押圧部４５ｂの押圧面４５ｆを押圧し、ロックレバー４５は、ロックバネ４６の付勢に抗して、退避位置に維持される。なお、右主動レール２１が後退位置に移動する前に、ロック片９ａに係合部４５ｃの押圧面４５ｇが当接し、ロックレバー４５が退避位置に向けて移動される。それと同時に、押圧部２２ｉがロックレバー４５の押圧面４５ｆを押圧し、ロックレバー４５が退避位置に向けて移動される。また、押圧部４５ｂは、ロック片９ａよりも上方に位置するように形成されているため、ディスクトレイ１４が格納位置に移動するときに、押圧部４５ｂがロック片９ａに接触することがない。
【００４１】
図１３（Ｂ）に示すように、右主動レール２１が後退位置に移動した後、さらに右移動機構５０のレール伝達ギア５７が図１０中Ｂ方向に回転すると、右従動レバー２２がロック解除位置からロック位置に後方に移動する。右従動レバー２２がロック位置に移動すると、押圧部２２ｉによる押圧部４５ｂへの押圧が解除され、ロックレバー４５がロックバネ４６の付勢により係合位置に移動する。ロックレバー４５が係合位置に移動すると、係合部４５ｃがロック片９ａに係合してロックレバー４５はロックされ、ロックレバー４５が取り付けられたディスクトレイ１４は格納位置でロックされる。右従動レバー２２の後方への移動は、規制凸部２１ｊに当接することにより規制される。なお、図１２においては、図面の乱雑を避けるため、第１〜第６ギア５１〜５６、ベルト６１の図示を省略している。また、光ディスク装置２には、右従動レバー２２がロック位置に移動したことを検出する検出スイッチが設けられており、制御基板１３は、上記検出スイッチによる検出が行われたことに応答して、モータ５８の駆動を停止する。
【００４２】
一方、ディスクトレイ１４を格納位置から引出し位置に移動させるときには、モータ５８を駆動して、右移動機構５０のレール伝達ギア５７を、Ｃ方向に回転させて、右従動レバー２２をロック位置からロック解除位置に向けて移動させる。右従動レバー２２がロック解除位置に移動すると、押圧部２２ｉが押圧部４５ｂの押圧面４５ｆを押圧して、ロックレバー４５が退避位置に移動する。ロックレバー４５が退避位置に移動すると、ディスクトレイ１４のロックが解除される。
【００４３】
また、右従動レバー２２がロック解除位置に移動すると、後壁面２２ｊに後ガイド凸部２１ｅが当接する。これにより、右従動レバー２２がロック解除位置から、さらに前方向に移動すると、右従動レバー２２とともに右主動レール２１が前方向に移動する。右主動レール２１が前方向に移動すると、レール伝達ギア５７は切欠き２１ｋから抜け出して主動ラックギア２１ｃに噛合する。レール伝達ギア５７が主動ラックギア２１ｃに噛合すると、レール伝達ギア５７のＣ方向への回転により、右主動レール２１が前進位置に向けて移動する。
【００４４】
図４、図１０及び図１２に示すように、ディスクトレイ１４の下面には、ディスクトレイ１４が引出し位置に位置することを検出するトレイ位置検出スイッチ７１が取り付けられている。トレイ位置検出スイッチ７１は、光ピックアップ１５及びスピンドルモータ１８の駆動を制御する駆動基板（図示せず）に接続されている。トレイ位置検出スイッチ７１は、スイッチ本体７１ａに、スイッチ片７１ｂが移動自在に取り付けられている。スイッチ片７１ｂは、バネ（図示せず）により、スイッチ本体７１ａから突出する方向に向けて付勢されている。トレイ位置検出スイッチ７１は、スイッチ片７１ｂが突出位置（図１２参照）に位置するときには、スイッチオフとなり、スイッチ片７１ｂが押圧位置（図１０参照）まで押圧されたときにオンとなり、オンのときには、駆動基板、フレキシブル基板２０を介して制御基板１３にスイッチオン信号を出力する。制御基板１３は、トレイ位置検出スイッチ７１からスイッチオン信号が入力されているときには、ディスクトレイ１４が引出し位置に位置すると判断する。
【００４５】
ディスクトレイ１４の下面には、スイッチレバー７２が回転自在に取り付けられている。スイッチレバー７２は、ディスクトレイ１４が引出し位置に位置するときに、スイッチ片７１ｂを押圧して、トレイ位置検出スイッチ７１をオンさせるものであり、スイッチ片７１ｂを押圧する押圧位置（図１０参照）と、スイッチ片７１ｂを押圧しない非押圧位置（図１２参照）との間で回転する。スイッチレバー７２は、スイッチバネ７３により非押圧位置に向けて付勢されている。スイッチバネ７３は、円巻された本体部７３ａと、本体部７３ａの一端に連続して形成された第１フック部７３ｂと、本体部７３ａの他端に連続して形成された第２フック部７３ｃとを備える。
【００４６】
スイッチレバー７２は、スイッチ片７１ｂを押圧するスイッチ押圧部７２ａと、ディスクトレイ１４が引出し位置に移動したときに、下カバー９の当接片９ｂに当接する当接部７２ｂと、第２フック部７３ｃがフックされるフック部７２ｃとを備える。フック部７２ｃには、第２フック部７３ｃが挿入されるフック孔７２ｄが形成されている。スイッチレバー７２は、取付孔７２ｅを中心にディスクトレイ１４の下面に回転自在に取り付けられる。ディスクトレイ１４の下面に形成されたフックボス１４ｂに第１フック部７３ｂをフックさせ、フック孔７２ｄに第２フック部７３ｃを挿入すると、スイッチレバー７２は、非押圧位置に向けて付勢される。図４に示すように、フック部７２ｃは、段差状に形成されており、フック孔７２ｄに第２フック部７３ｃを挿入したときに、本体部７３ａがディスクトレイ１４の下面に当接することがない。これにより、スイッチバネ７３により、確実にスイッチレバー７２を非押圧位置に向けて付勢することができる。
【００４７】
図１０に示すように、ディスクトレイ１４が引出し位置に移動すると、当接部７２ｂが下カバー９の当接片９ｂに当接して、スイッチレバー７２は、スイッチバネ７３の付勢に抗して、押圧位置に向けて回転される。そして、スイッチ片７１ｂが押圧されて、トレイ位置検出スイッチ７１がオンされる。これにより、制御基板１３には、スイッチオン信号が入力される。制御基板１３は、スイッチオン信号が入力されたことに基づいて、ディスクトレイ１４が引出し位置に移動したと判断し、モータ５８の駆動を停止する。
【００４８】
次に、上記のように構成された光ディスク装置２の作用について説明する。ディスクトレイ１４が引出し位置に位置するときに、ユーザがイジェクトボタン７を押すと、制御基板１３は、イジェクトボタン７からイジェクト信号が入力されたことに応答して、右移動機構５０のレール伝達ギア５７を、図１０中Ｂ方向に回転させるように、モータ５８の駆動を制御する。この制御により、右主動レール２１及び左主動レール３１が前進位置から後退位置に向けて移動する。
【００４９】
右主動レール２１が後退位置に移動（ディスクトレイ１４が格納位置に移動）すると、レール伝達ギア５７と主動ラックギア２１ｃとの噛合が解除されて、レール伝達ギア５７は従動ラックギア２２ｂにのみ噛合している状態となる。この状態では、右従動レバー２２により、ロックレバー４５は退避位置に位置される。
【００５０】
図１２及び図１３（Ｂ）に示すように、右主動レール２１が後退位置に移動した後、さらに右移動機構５０のレール伝達ギア５７がＢ方向に回転すると、右従動レバー２２がロック解除位置からロック位置に向けて移動する。右従動レバー２２がロック位置に移動すると、押圧部２２ｉによる押圧部４５ｂへの押圧が解除され、ロックレバー４５がロックバネ４６の付勢により係合位置に移動する。これにより、ロック片９ａにより係合部４５ｃがロックされて、ロックレバー４５が取り付けられたディスクトレイ１４は格納位置でロックされる。
【００５１】
一方、ディスクトレイ１４が格納位置に位置するときに、ユーザがイジェクトボタン７を押すと、制御基板１３は、イジェクトボタン７からイジェクト信号が入力されたことに応答して、右移動機構５０のレール伝達ギア５７を、図１２中Ｃ方向に回転させるように、モータ５８の駆動を制御する。この制御により、右従動レバー２２がロック位置からロック解除位置に向けて移動する。
【００５２】
右従動レバー２２がロック解除位置に移動すると、押圧部２２ｉが押圧部４５ｂの押圧面４５ｆを押圧して、ロックレバー４５が退避位置に移動する。
【００５３】
ロックレバー４５が退避位置に移動すると、ロック片９ａによるロックレバー４５の係止が解除される。さらに、右従動レバー２２がロック解除位置に移動すると、後壁面２２ｊに後ガイド凸部２１ｅが当接する。これにより、右従動レバー２２がロック解除位置から前方向に移動すると、右従動レバー２２とともに右主動レール２１が前方向に移動する。右主動レール２１が前方向に移動すると、レール伝達ギア５７は切欠き２１ｋから抜け出して主動ラックギア２１ｃに噛合する。レール伝達ギア５７が主動ラックギア２１ｃに噛合すると、レール伝達ギア５７のＣ方向への回転により、右主動レール２１が前進位置に向けて移動する。
【００５４】
このように、ディスクトレイ１４を移動させる右主動レール２１とは別に、右従動レバー２２を設け、右主動レール２１を後退位置に移動させた（ディスクトレイ１４を格納位置に移動させた）後、右従動レバー２２をロック解除位置からロック位置に移動させることにより、ディスクトレイ１４の格納位置でのロックを行うようにしたから、右主動レール２１の長さを長くする（下カバー９の前後方向の長さを長くする）ことなく、ディスクトレイ１４を格納位置でロックすることができる。すなわち、規格化されたケース１０を用いながらも、ディスクトレイ１４のロックを行うことができる。
【００５５】
また、ディスクトレイ１４を引出し位置と格納位置との間で移動させるためのモータ５８を利用して、ディスクトレイ１４のロックを行うから、ディスクトレイ１４のロック用に専用の駆動源を設ける必要がなく、コストアップを防止することができる。
【００５６】
さらに、右移動機構５０により右主動レール２１を移動させ、左移動機構６０により左主動レール３１を移動させるから、各移動機構５０，６０のうちのいずれか一方のみを設けたものに比べて、ディスクトレイ１４が引出し位置に位置するときの、ディスクトレイ１４のガタつきを抑制することができる。
【００５７】
なお、上記実施形態では、ロックレバー４５をディスクトレイ１４に取り付けるとともに、下カバー９にロック片９ａを形成したが、右従動レバー２２がロック解除位置からロック位置に移動したことに応じてディスクトレイ１４をロックすることができればよく、ロックレバー４５を下カバー９に取り付け、ロック片９ａの形状をディスクトレイ１４に設けるようにしてもよい。
【００５８】
また、上記実施形態では、ロック片９ａによりロックレバー４５をロックしたが、ロックレバー４５をロックする方法は適宜変更可能であり、例えば、下カバー９に、ディスクトレイ１４が格納位置に移動したときの係合部４５ｃが挿入されるとともに、係合部４５ｃが挿入された状態でロックレバー４５が係合位置と退避位置との間で移動自在となるような係合孔を形成し、ロックレバー４５が係合位置に移動したときには、係合部４５ｃが係合孔の壁面に係合してロックされるようにしてもよい。
【００５９】
さらに、上記実施形態では、右移動機構５０を、第１〜第６ギア５１〜５６、レール伝達ギア５７、モータ５８、ウォームギア５９から構成したが、ギアの種類及び数量は適宜変更可能である。
【００６０】
また、上記実施形態では、ロックバネ４６により、ロックレバー４５を係合位置に向けて付勢したが、これに限定されることなく、ロックバネ４６を設けずに、ロックレバー４５に弾性変形するバネ部を一体的に形成し、このバネ部により、ロックレバー４５を係合位置に向けて付勢するようにしてもよい。
【００６１】
さらに、上記実施形態では、右保持レール２４を設けたが、右保持レール２４の形状を、下カバー９に一体的に形成するようにしてもよい。
【００６２】
また、上記実施形態では、右トレイレール２５を設けたが、右トレイレール２５の形状を、ディスクトレイ１４に一体的に形成するようにしてもよい。
【００６３】
さらに、上記実施形態では、右移動機構５０及び左移動機構６０を設け、各機構５０，６０により各主動レール２１，３１を移動させるようにしたが、各機構５０，６０のうちの一方のみを設けるようにしてもよい。例えば、右移動機構５０のみを設けた場合には、各部材３１〜３５を設ける必要がなく、その代わりに、右移動機構５０によるディスクトレイ１４の移動をガイドするガイドレールのみを設ければよい。
【００６４】
また、上記実施形態では、右主動レール２１が前進位置と後退位置との間で移動するときに、右主動レール２１とともに右従動レバー２２が移動するようにしたが、これに限定されることなく、右主動レール２１が後退位置に移動したときに、右従動レバー２２がロック解除位置に位置し、右主動レール２１が後退位置に移動した後は、モータ５８の駆動により、右従動レバー２２がロック解除位置とロック位置との間で移動するようにされていればよく、例えば、右従動レバー２２をロック解除位置とロック位置との間のみで移動自在に設け、右主動レール２１が後退位置に移動した後にのみ、モータ５８の駆動力が右従動レバー２２に伝達されるような伝達機構を設けるようにしてもよい。
【００６５】
さらに、上記実施形態では、ディスクトレイ１４に、ピックアップユニット１７を設けた光ディスク装置２に本発明を実施したが、本発明は、ピックアップユニット１７を有するトラバースメカが、光ディスク４を再生する再生位置とこの再生位置から退避した退避位置との間で昇降自在に、ケース１０の内部に設けられた光ディスク装置にも実施可能である。この場合には、右従動レバー２２がロック解除位置からロック位置に向けて移動したときに、トラバースメカを再生位置に上昇させる。例えば、右従動レバー２２の移動により移動するスライダを設け、このスライダに、トラバースメカに設けられたトラバースピンが挿入されるカム孔を形成し、スライダが移動するとトラバースピンがカム孔を案内されて、トラバースメカが再生位置に上昇する。より詳しくは、光ディスク４が装填されたディスクトレイ１４が格納位置に移動した後、右従動レバー２２がロック解除位置からロック位置に向けて移動する。この移動に連動してスライダが移動して、トラバースメカが再生位置に上昇し、ピックアップユニット１７に設けられたスピンドルモータ１８により光ディスク４が回転可能状態となる。なお、スライダを設けずに、右従動レバー２２に上記カム孔を形成してもよい。
【図面の簡単な説明】
【００６６】
【図１】本発明の光ディスク装置を備えたノート型パソコンの外観図である。
【図２】ディスクトレイが引出し位置に位置するときの光ディスク装置を示す斜視図である。
【図３】ディスクトレイが格納位置に位置するときの光ディスク装置を示す斜視図である。
【図４】ディスクトレイと右トレイレールと左トレイレールとスイッチレバーとを示す分解斜視図である。
【図５】右主動レールと右従動レバーと右サブレールとレールバネとを示す分解斜視図である。
【図６】下カバーと右主動レールと右従動レバーと右サブレールと右保持レールとレールバネとレール伝達ギアとを示す分解斜視図である。
【図７】右主動レールと右従動レバーとレールバネとを示す右側面断面図である。
【図８】右主動レールと右保持レールと右トレイレールとレールギアとを示す右側面断面図である。
【図９】下カバーの内部を示す正面図である。
【図１０】ディスクトレイが引出し位置に位置するときの上面図である。
【図１１】下カバーとロック片と右従動レバーとロックレバーとロックバネとを示す斜視図である。
【図１２】ディスクトレイが格納位置に位置し、右従動レバーがロック解除位置に位置するときの上面図である。
【図１３】下カバーとロック片と右従動レバーとロックレバーとロックバネとを示す上面図である。
【符号の説明】
【００６７】
２  光ディスク装置
４  光ディスク
９  下カバー
９ａ  ロック片（トレイロック部）
１０  ケース
１４  ディスクトレイ
２１  右主動レール（主動板）
２１ｃ  主動ラックギア（主動ギア部）
２２  右従動レバー（従動板）
２２ｂ  従動ラックギア（従動ギア部）
２２ｉ  押圧部
４５  ロックレバー（ロック板）
４６  ロックバネ（付勢手段）
５０  右移動機構
５７  レール伝達ギア（駆動ギア）
５８  モータ
【図１】
2008305521.tif 000003
【図２】
2008305521.tif 000004
【図３】
2008305521.tif 000005
【図４】
2008305521.tif 000006
【図５】
2008305521.tif 000007
【図６】
2008305521.tif 000008
【図７】
2008305521.tif 000009
【図８】
2008305521.tif 000010
【図９】
2008305521.tif 000011
【図１０】
2008305521.tif 000012
【図１１】
2008305521.tif 000013
【図１２】
2008305521.tif 000014
【図１３】
2008305521.tif 000015